(57)【要約】【課題】屋内に配置する親機を不要とした外来者通知装置、インターホン装置およびインターホン対話方法を得ること。【解決手段】家屋１５１の玄関ドア１５２の近傍には呼鈴ボタン１５３が取り付けられており、これが押されるとスピーカ部１５４から呼出音が出力される。呼出音は呼鈴検知センサ１０３で検知されて呼鈴ボタン１５３の近くのインターホン装置１００で受信される。これと共にユーザの携帯電話端末に電話が掛けられてインターホン装置１００とユーザの通話が可能になる。図示しないガラス戸の破損等も専用のセンサが検知してインターホン装置１００を介してユーザ等に通知される。【選択図】図５
2006184985.tif 000002
【特許請求の範囲】
【請求項１】
屋外に配置され、外来者を検知する外来者検知手段と、
この外来者検知手段が外来者を検知したときその外来者に関する情報を収集する外来者情報収集手段と、
この外来者情報収集手段の収集した外来者情報を予め定めた宛先の通信端末に無線で送信する外来者情報送信手段
とを具備することを特徴とする外来者通知装置。
【請求項２】
前記外来者検知手段は、外来者が訪問したことを通知する呼鈴ボタンの押下によって発生する呼出音を検知する呼鈴検知センサであることを特徴とする請求項１記載の外来者通知装置。
【請求項３】
前記外来者情報収集手段の収集する外来者情報は外来者の画像であることを特徴とする請求項１記載の外来者通知装置。
【請求項４】
前記外来者検知手段は、家屋への侵入を音によって検知するセンサであることを特徴とする請求項１記載の外来者通知装置。
【請求項５】
前記外来者情報送信手段は、予め設定した宛先に前記外来者情報の少なくとも一部を電子メールに加工して送信する電子メール送信手段であることを特徴とする請求項１〜請求項４いずれかに記載の外来者通知装置。
【請求項６】
請求項１〜請求項３、請求項５いずれかに記載の外来者通知装置と、
マイクロフォンとスピーカを備え、前記外来者通知装置が通知を行った時点で、検知された前記外来者と無線で対話を行う対話手段
とを具備することを特徴とするインターホン装置。
【請求項７】
外来者が訪問したことを通知する呼鈴ボタンの押下によって発生する呼出音を検知する呼鈴検知ステップと、
この呼鈴検知ステップで検知した呼出音をトリガとして所定の携帯電話端末に電話を掛ける呼接続ステップと、
この呼接続ステップでその携帯電話端末との間で呼が接続されたらマイクロフォンとスピーカを使用して前記外来者と対話を行う対話ステップ
とを具備することを特徴とするインターホン対話方法。
【請求項８】
前記外来者の画像を撮影する撮影ステップと、この撮影ステップで撮影した画像を前記呼接続ステップで接続した携帯電話端末に送信する画像送信ステップを具備することを特徴とする請求項７記載のインターホン対話方法。
【発明の詳細な説明】
【技術分野】
【０００１】
本発明は、家屋の玄関等に設置し外来者をその家屋の居住者に通知する外来者通知装置、インターホン装置およびインターホンで対話を行うインターホン対話方法に関する。
【背景技術】
【０００２】
屋外と屋内あるいは部屋同士を結ぶ対話システムとしてのインターホン装置のうち、特に玄関と室内を結ぶ装置は、防犯上の要請等から広く使用されている。玄関と室内を結ぶインターホン装置は、親機を室内に配置し、子機を玄関や門に配置するようにしている。以下の説明では子機を玄関に配置した一般的なインターホン装置を例に挙げて説明する。
【０００３】
インターホン装置は、玄関のドアを開ける前に来訪者を確認できるという利点がある一方で、インターホン装置の呼鈴ボタンに誰も応答しない場合には、留守であることが分かり、泥棒の侵入を許してしまうという問題がある。そこで、自宅を不在にするときには、インターホン装置の呼鈴ボタンが押されると、あらかじめ設定した固定電話でこれに応答するようにすることが提案されている（たとえば特許文献１参照）。
【０００４】
この第１の提案では、留守をするときにインターホン装置に不在の設定を行って、転送先の固定電話あるいは携帯電話の電話番号を指定するようになっている。この状態で、来訪者が呼鈴ボタンを押すと転送先への発呼要求が行われる。転送先との通話状態が確立すると、インターホン装置と電話装置の音声ラインが接続され、来訪者との対話が可能になる。
【０００５】
また、インターホン装置をインターネットに接続し、インターネットに接続中のパーソナルコンピュータに来訪者の映像を写したり、直接応答できるようにする第２の提案も行われている（たとえば特許文献２参照）。この第２の提案では、インターホン装置の親機側に電話回線を接続して、これを介してインターネットに接続するようにしている。
【０００６】
このため、第２の提案では、来訪者が呼鈴ボタンを押したときに、該当するパーソナルコンピュータが作動中でインターネットに接続しているという条件を満たすことが必要である。すなわち、来訪者が呼鈴ボタンを押した時点でインターネットにダイアルアップ接続したり、パーソナルコンピュータの電源を投入したりすると、応答までに比較的長い時間を必要とし、応答がないものとして来訪者が立ち去ってしまうことが想定される。したがって、この第２の提案は、あくまでもインターホン装置で親機から応答できない場合の補助としての機能を持つに過ぎない。
【特許文献１】特開平１１−２２０５４４号公報（第００１５段落、図１）、特開平９−１６３０００（第０００６段落、図３）
【特許文献２】特開２００２−３５４１３７号公報（第００１７段落、図１）
【発明の開示】
【発明が解決しようとする課題】
【０００７】
また、第１および第２の提案に共通して問題とされるのは、インターホン装置の親機側に電話回線を接続したり、電話によって対話を可能にするための特殊な電話装置を追加する必要があることである。すなわち、既存のインターホン装置に特殊な装置を追加する形を採っているために、インターホン装置を設置するための費用がかさむという問題がある。また、インターホン装置の親機と子機をケーブルで接続しようとすると、配線工事が必要となり、借家等に気軽に設置することができない。
【０００８】
以上、インターホン装置について説明したが、インターホン対話方法および防犯という観点で外来者を通知する外来者通知装置についても、同様の問題があった。
【０００９】
そこで本発明の目的は、屋内に配置する親機を不要とした外来者通知装置、インターホン装置およびインターホン対話方法を提供することにある。
【課題を解決するための手段】
【００１０】
請求項１記載の発明では、（イ）屋外に配置され、外来者を検知する外来者検知手段と、（ロ）この外来者検知手段が外来者を検知したときその外来者に関する情報を収集する外来者情報収集手段と、（ハ）この外来者情報収集手段の収集した外来者情報を予め定めた宛先の通信端末に無線で送信する外来者情報送信手段とを外来者通知装置に具備させる。
【００１１】
すなわち請求項１記載の発明では、外来者検知手段が外来者を検知すると、外来者情報収集手段がその外来者の画像、声等の外来者に関する情報を収集し、外来者情報送信手段が収集した外来者情報を予め定めた宛先の通信端末に無線で送信するようにしている。したがって、通信手段を備えた親機とこれにケーブルで接続された子機といった対の関係にある装置を使用しなくても、外来者が来たことおよびその外来者を特定するために有効な情報を予め定めた宛先の通信端末に無線で送信することができる。
【００１２】
請求項６記載の発明では、（イ）請求項１〜請求項３、請求項５いずれかに記載の外来者通知装置と、（ロ）マイクロフォンとスピーカを備え、外来者通知装置が通知を行った時点で、検知された外来者と無線で対話を行う対話手段とをインターホン装置に具備させる。
【００１３】
すなわち請求項６記載の発明では、請求項１等に記載された外来者通知装置が外来者情報を通知したとき、マイクロフォンとスピーカを備えた対話手段を用いて、その検知された外来者と無線で対話を行うようにインターホン装置を構成したので、通信手段を備えた親機とこれにケーブルで接続された子機といった対の関係にある装置を使用しなくても、外来者と通信端末のユーザとが対話を行うことができる。
【００１４】
請求項７記載の発明では、（イ）外来者が訪問したことを通知する呼鈴ボタンの押下によって発生する呼出音を検知する呼鈴検知ステップと、（ロ）この呼鈴検知ステップで検知した呼出音をトリガとして所定の携帯電話端末に電話を掛ける呼接続ステップと、（ハ）この呼接続ステップでその携帯電話端末との間で呼が接続されたらマイクロフォンとスピーカを使用して外来者と対話を行う対話ステップとをインターホン対話方法に具備させる。
【００１５】
すなわち請求項７記載の発明では、呼鈴検知ステップで外来者が訪問したことを通知する呼鈴ボタンの押下によって発生する呼出音を検知すると、呼接続ステップでその検知した呼出音をトリガとして所定の携帯電話端末に電話を掛け、対話ステップでマイクロフォンとスピーカを使用して呼が接続された状態で外来者と対話を行うようにした。これにより、通信手段を備えた親機とこれにケーブルで接続された子機といった対の関係にある装置を使用しなくても、外来者と通信端末のユーザとが対話を行うことができる。
【発明の効果】
【００１６】
以上説明したように本発明によれば、玄関の付近等の屋外に配置される子機と、通信手段を備えてこの子機と接続された親機といった対の関係にある装置を使用することなく、屋外で外来者を検知した時点で無線で通信端末あるいは携帯電話端末と対話が可能になるので、発明を実現するための装置のコストダウンを図ることができる。また、無線による通信端末あるいは携帯電話端末を使用することで、屋内にいなくても外来者との対話が可能になり、その分だけ空き巣に侵入される可能性を軽減することができる。
【発明を実施するための最良の形態】
【００１７】
以下実施例につき本発明を詳細に説明する。
【実施例１】
【００１８】
図１は本発明の一実施例におけるインターホン装置を正面から見たものであり、図２はこのインターホン装置を横から見たものである。また、図３はこのインターホン装置を背面から見たものである。本実施例のインターホン装置１００は、図１に示すように防水のための密閉構造をした箱状の本体ケース１０１の上部中央に、このインターホン装置１００をフックで玄関等の所定位置に吊り下げるためのフック取付部材１０２を配置している。このフック取付部材１０２の左側には、インターホン装置１００の付近に取り付けられた図示しない呼鈴ボタンの押下によって発生する音を入力するための呼鈴検知センサ１０３が着脱自在に配置され、右側には無線通信を行うための通信モジュール１０４と、アンテナ１０５が設けられている。呼鈴検知センサ１０３は、それ自体に電池を内蔵しており、呼鈴ボタンの押下により発せられる呼出音をより良好に検出できるように本体ケース１０１から外して、所望の箇所に配置することができるようになっている。たとえば、インターホン装置１００を設置しようとする家屋の既存の呼鈴ボタンを押下したとき、呼出音が屋内で出力されるものであれば、その位置の近傍に呼鈴検知センサ１０３を配置することができる。
【００１９】
本体ケース１０１の前面中央部には、来訪者を撮影するための撮影レンズ１０６が配置されており、図示しない２次元ＣＣＤ（Charged Coupled Device）に画像が投影されるようになっている。撮影レンズ１０６の隣には、夜間の被写体に照明をあてるためのストロボあるいは赤外線ランプ等の照明装置１０７が配置されている。本体ケース１０１の前面の下の部分には、来訪者と対話するためのマイクロフォン１０８とスピーカ１０９が配置されている。なお、呼鈴ボタンは、このインターホン装置１００の本体ケース１０１の前面に配置されていてもよい。たとえば撮影レンズ１０６を中心として照明装置１０７の対称位置に呼鈴ボタンを配置することができる。呼鈴ボタンを本体ケース１０１の前面に配置した場合には、呼鈴検知センサ１０３が不要となる。
【００２０】
本体ケース１０１には充電用バッテリが内蔵されており、図３に示すように本体ケース１０１の背面には、充電用バッテリの交換用のバッテリ収納口１１１と、充電用バッテリに充電を行う際に使用する電源接続口１１２が設けられている。したがって、充電用バッテリの残量が少なくなった場合には、インターホン装置１００を屋内に持ち込む等により電源接続口１１２に電源を接続してこれを充電することができる。バッテリ収納口１１１は、充電用バッテリを交換する際に使用する口であり、装置によってはバッテリ収納口１１１を省略することができる。
【００２１】
図４は、本実施例のインターホン装置の回路構成の概要を表わしたものである。インターホン装置１００は、ＣＰＵ（中央処理装置）１２１を備えている。ＣＰＵ１２１は、本体ケース１０１内の各部とデータバス等のバス１２２を介して接続されている。このうち、ＲＯＭ１２３は、インターホン装置１００の各種制御を行う制御プログラムを格納したリード・オンリ・メモリである。ＲＡＭ１２４は、ＣＰＵ１２１が制御プログラムを実行する上で必要とされる一時的なデータを格納するランダム・アクセス・メモリである。ＲＡＭ１２４の一部は、前記した充電用バッテリ等によってバックアップされた不揮発性メモリ１２５を構成している。この不揮発性メモリ１２５には、ユーザが設定した携帯電話端末１３２の電話番号や、電子メールのアドレス等のデータを保存できるようになっている。
【００２２】
音入力回路１２６は、マイクロフォン１０８から入力された音を増幅すると共に、Ａ／Ｄ（アナログ／ディジタル）変換を行うようになっている。音出力回路１２７は、ユーザから送られてきた音の信号をＤ／Ａ（ディジタル／アナログ）変換して増幅し、スピーカ１０９から出力するようになっている。通信モジュール１０４は、呼鈴検知センサ１０３の検知出力を無線で受信する図示しない第１の通信部と、基地局１３１を介してユーザの携帯電話機等の携帯電話端末１３２と通信を行う同じく図示しない第２の通信部を備えている。画像処理回路１３３は、２次元ＣＣＤ１３４の出力する静止画を入力して、所定の補正処理を行った後、伝送に適するように圧縮するようになっている。図１に示した撮影レンズ１０６は来訪者等の画像をこの２次元ＣＣＤ１３４に結像するようになっている。照明装置１０７は、赤外線の場合には呼鈴検知センサ１０３が呼出音を検出したときに被写体を照射する。ストロボのように可視光を照射する場合には、インターホン装置１００の周囲が暗くなっているときにのみ照明を行う方が省電力の点から好ましい。時計回路１３６は来訪の日時を判別するための時計情報を生成する回路である。外光センサ１３７は、照明装置１０７が照明を行うか否かを判別するセンサである。前記したストロボのように可視光を照射する場合には外光センサ１３７が必要である。もちろん、照明装置１０７が赤外線を照射する場合も、外光センサ１３７が存在すれば昼間の発光を省略して節電を図ることができる。加速度センサ１３８は、このインターホン装置１００を第三者が持ち逃げするような場合に警報を発したり、直前に撮影した画像を送信する等によって盗難を間接的に予防したり、犯人を特定するために本体ケース１０１に突然加わる加速度を検出するセンサである。
【００２３】
図５は、本実施例におけるインターホン装置と呼鈴ボタンの配置関係を示したものである。一戸建てあるいは集合住宅等の家屋１５１の玄関ドア１５２の近傍には、呼鈴ボタン１５３が従来から取り付けられており、屋内の所定のスピーカ部１５４にケーブル１５５で接続されている。したがって、来訪者が呼鈴ボタン１５３を押すとスピーカ部１５４が呼出音を出力するようになっている。玄関ドア１５２の同じく近傍には、インターホン装置１００がフック取付部材１０２によって取り付けられている。この例では、呼鈴検知センサ１０３が本体ケース１０１から取り外されて、屋内のスピーカ部１５４の近傍に図示しない取付具等によって取り付けられている。このため、スピーカ部１５４から呼出音が出力されると、呼鈴検知センサ１０３がこれを検知して、無線で通信モジュール１０４の前記した第１の通信部によって受信されるようになっている。
【００２４】
図６は、来訪者が呼鈴ボタンを押した場合のインターホン装置の処理の流れを表わしたものである。図４と共に、インターホン装置１００の処理を説明する。ＣＰＵ１２１は、通信モジュール１０４が呼鈴検知センサ１０３による呼出音の検知の受信を行ったかどうか（ステップＳ２０１）と、加速度センサ１３８が所定の値以上の加速度を検知したかどうか（ステップＳ２０２）の監視を行っている。ここで加速度センサ１３８が所定の値以上の加速度を検知する（ステップＳ２０２：Ｙ）とは、たとえばインターホン装置１００の所有者がその取り付けを行う場合や、第三者がインターホン装置１００のフック取付部材１０２を取り外してこれを持ち去ろうとする場合、あるいは台風等の原因でインターホン装置１００が取付箇所から落下したような場合をいう。このような場合には、後に説明する盗難等対応処理が実行される（ステップＳ２０３）。
【００２５】
これに対して、呼鈴検知センサ１０３による呼出音の検知の受信が行われた場合には（ステップＳ２０１：Ｙ）、外光センサ１３７の出力をチェックしてインターホン装置１００の周囲が暗いかどうかの判別が行われる（ステップＳ２０４）。暗い場合には（Ｙ）、撮影のために照明装置１０７を時間ｔ1の間、点灯させる（ステップＳ２０５）。時間ｔ1は、撮影枚数との関係で定まる。周囲が暗いかどうかを判別することにしたのは、明るい場合には照明装置１０７を作動させないことにして、インターホン装置１００の内蔵バッテリの消費電力を節約するためである。したがって、照明装置１０７の電力節減が特に問題にならない場合やコストダウンのためにはステップＳ２０４の処理を省略し、外光センサ１３７をインターホン装置１００に配置することを省略することも可能である。
【００２６】
周囲が撮影に支障がない明るさの場合（ステップＳ２０４：Ｎ）、あるいは照明装置１０７が作動した場合には（ステップＳ２０５）、２次元ＣＣＤ１３４による来訪者のいるべき方向に向けての撮影が行われる（ステップＳ２０６）。次に、このインターホン装置１００を通じて通話を行う通話先の携帯電話端末１３２の電話番号の読み出しが行われ（ステップＳ２０７）、呼の接続のための処理が行われる（ステップＳ２０８）。その結果として相手先の携帯電話端末１３２と来訪者の対話が可能であれば（ステップＳ２０９：Ｙ）、まず、撮影した画像が相手先に送られてその携帯電話端末１３２のディスプレイに表示される（ステップＳ２１０）。これにより、その携帯電話端末１３２のユーザは、来訪者を確認することができる。この状態でユーザの携帯電話端末１３２とインターホン装置１００の間で音声による通話処理が行われる（ステップＳ２１１）。インターホン装置１００側ではマイクロフォン１０８とスピーカ１０９が使用される。
【００２７】
一方、ステップＳ２０９で通話が行われなかった場合、他の通話先が登録されているかどうかの判別が行われる（ステップＳ２１２）。たとえば、休日でＡ、Ｂ、Ｃの３人が家屋１５１に居るような場合は、これらの者は、所定の認証を行った後、それぞれの携帯電話端末１３２を使用してインターホン装置１００にアクセスし、電話番号を不揮発性メモリ１２５に登録しておくことができる。このような場合には、ステップＳ２０９でＡが通話中あるいはその携帯電話端末１３２の電源をオフにしているような場合に、他の通話先があれば（ステップＳ２１２：Ｙ）、ステップＳ２０７に戻って処理を行うことで、代わってＢまたはＣに通話先を変更することができる。
【００２８】
もちろん、不揮発性メモリ１２５に登録する電話番号は、インターホン装置１００の設置された家屋１５１内にいる者に限る必要はない。たとえば買い物に出ているＤがその携帯電話端末の電話番号を登録しておいて、ステップＳ２１１の通話処理を行うことで、あたかも家屋１５１内部に人がいるかのように振舞って、泥棒の侵入を阻止することも可能である。
【００２９】
ステップＳ２１２で他の通話先がない場合には（Ｎ）、訪問者と通話を行うことができないが、そのとき撮影した画像を予め定めた携帯電話端末１３２等に電子メールで送信する（ステップＳ２１３）。これにより、その電子メールの受信者は、訪問者が誰であるかを判別することができる。また、電子メールの受信した時刻情報によって、いつその者が家屋１５１（図５）まで来たかを確認することができる。これにより、その訪問者が知人であれば、その者に後で携帯電話端末１３２を使用して連絡を試みることができる。また、知らない訪問者の場合もその画像が送信されるので、泥棒による家屋の侵入があった場合であってもその者を特定することができる。したがって、電子メールで訪問の事実を画像と共に送信したことを音声メッセージで訪問者に知らせることで、泥棒による被害を防止あるいは軽減することができる。
【００３０】
図７は、図６のステップＳ２０３で示した盗難等に対応する処理の流れを具体的に表わしたものである。図６のステップＳ２０２で加速度センサ１３８が所定の値以上の加速度を検知したら（Ｙ）、まず照明装置１０７を時間ｔ2の間、点灯させる（図７ステップＳ２３１）。時間ｔ2は、撮影枚数との関係で定まる。図６のステップＳ２０５の時間ｔ1と同じであってもよいし、これよりも長く、あるいは短く設定されていてもよい。照明装置１０７の点灯が開始されたら、設定された複数コマの画像が２次元ＣＣＤ１３４によって撮影される（ステップＳ２３２）。
【００３１】
照明装置１０７が赤外線の照射装置である場合、可視光が照射されなければインターホン装置１００の取り外し等の移動を行っている者が撮影に気付くことはない。そこで、撮影が終了した時点でＣＰＵ１２１は予めＲＯＭ１２３に記憶されたデータを用いて警報音を時間ｔ3の間、スピーカ１０９から出力する。警報音の代わりに、「泥棒です」というような音声メッセージがスピーカ１０９から繰り返し大音響で出力されてもよい。警報音あるいは音声メッセージの出力が開始されたら、ＣＰＵ１２１は不揮発性メモリ１２５に予め格納した非常連絡先の読み出しを行う（ステップＳ２３４）。非常連絡先は、ユーザのメールアドレスであってもよいし、契約を行ったセキュリティ会社のメールアドレスであってもよい。ＣＰＵ１２１は、次に通信モジュール１０４に指示してその宛先に撮影済みの画像を添付書類にしてその宛先に電子メールで送信する（ステップＳ２３５）。
【００３２】
したがって、たとえば第三者がフック取付部材１０２で所定位置に取り付けられているインターホン装置１００を取り外して持ち去ろうとすると、インターホン装置１００を動かした時点で加速度センサ１３８がこれを検出してその者の画像を撮影する。そして、警報音を出力することによって、インターホン装置１００を持ち去ることをためらわせる。インターホン装置１００自体は通信モジュール１０４で独自に情報を送信する能力を備えているので、放置されたり、あるいは第三者が持ち去る途中であっても、撮影した画像を電子メールとして最寄の図示しない無線基地局に送信することができる。したがって、インターホン装置１００に生じた盗難等の事故を早期に通告することができる。
【００３３】
ところで、加速度センサ１３８はユーザ自身がこのインターホン装置１００を玄関の周囲等に取り付ける際や充電のために取りはずすときにも作動する。したがって、インターホン装置１００の取り付け後に加速度センサ１３８が作動するように図示しない作動スイッチをインターホン装置１００に取り付けたり、ユーザの携帯電話端末１３２からインターホン装置１００に作動開始用のデータを送出することで加速度センサ１３８の作動を開始させるような工夫を行っていてもよい。もちろん、盗難等の事故発生時の電子メールの宛先をユーザ自身のメールアドレスにしている場合には、電子メールが送信されても特に他人に迷惑をかけるおそれがない。また、加速度センサ１３８の作動を確認するための処理がインターホン装置１００の取付時に行われることになるので、加速度センサ１３８の作動解除の処理を行う必要性はない。
【００３４】
＜発明の第１の変形例＞
【００３５】
ところで、実施例で説明した呼鈴検知センサ１０３は着脱自在となっていて、かつ呼鈴ボタンの押下によって発生する呼出音をフィルタ処理によってある程度特定して抽出して検出するようになっている。そこで、呼出音以外に防犯上で有効な音を特定して検知し、その結果を通信モジュール１０４で同様に受信することで、インターホン装置１００を防犯ステーションとしての役割に拡張することができる。発明の第１の変形例では、家屋の図示しない窓ガラスの近傍にガラスの破損音を受信音のフィルタ処理によって検知するガラス破損音検知センサを配置すると共に、侵入のおそれのある扉の近傍に、図示しない扉の破壊音を受信音のフィルタ処理によって検知する扉破壊音検知センサを配置するようにしている。これらはインターホン装置１００の通信モジュール１０４の受信範囲内であれば数多く取り付けてもよい。
【００３６】
図８は、発明の第１の変形例におけるインターホン装置による侵入検知処理の流れを表わしたものである。図４と共に処理の流れを説明する。ＣＰＵ１２１は、通信モジュール１０４を介してガラスの破損音の検知（ステップＳ２５１）と扉破壊音の検知（ステップＳ２５２）を行っている。これらの音の検知ではなく、ガラス戸等の破損等による振動を検知してもよい。ガラスの破損音が検知された場合には（ステップＳ２５１：Ｙ）、予め用意された基本的な文章に発生日時や音の持続時間あるいは音の大きさや持続時間等を追加したガラス破損警報文書が編集される（ステップＳ２５３）。そして、図７のステップＳ２３４と同様に非常連絡先を不揮発性メモリ１２５から読み出して（ステップＳ２５４）、その宛先に電子メールで送信する（ステップＳ２５５）。
【００３７】
扉破壊音の検知が行われた場合には（ステップＳ２５２：Ｙ）、予め用意された基本的な文章に発生日時や音の持続時間あるいは大きさ等を追加した扉破壊警報文書が編集される（ステップＳ２５６）。そして、非常連絡先を不揮発性メモリ１２５から読み出して（ステップＳ２５４）、その宛先に電子メールで送信することになる（ステップＳ２５５）。
【００３８】
以上説明した盗難等の対応処理は、図６のステップＳ２０１やステップＳ２０２の処理と並列的に行われてもよいし、防犯専用の装置として行われてもよい。防犯専用の装置として使用される場合には、図４に示したマイクロフォン１０８やスピーカ１０９といったインターホンとしての部品を省略することも可能である。
【００３９】
また、ガラス破損音検知センサおよび扉破壊音検知センサにそれぞれを識別するための識別情報を割り振っておき、どのガラス戸あるいは扉に障害が発生した、あるいは発生しつつあることを、所定の携帯電話やパーソナルコンピュータ等の通信端末に送信するようにしてもよい。すなわち、電子メールのみの送信を行う場合には、必ずしも携帯電話端末を使用する必要はなく、電子メールを受信できる通信端末に送信すれば足りる。
【００４０】
＜発明の第２の変形例＞
【００４１】
先の実施例では呼鈴検知センサ１０３を設けて、図５で示した既存の呼鈴ボタン１５３およびスピーカ部１５４からなる呼鈴装置に対応させたが、新築の家屋やこのような呼鈴装置が備えられていない家屋では、インターホン装置１００の本体ケース１０１に呼鈴装置の呼鈴ボタンを追加すればよい。この場合、図示しない呼鈴ボタンを押すと、本体ケース１０１に取り付けられたスピーカ１０９から比較的大音量の呼出音が出力され、屋内の者に来訪者を通知することになる。
【００４２】
図９は、この第２の変形例における呼鈴ボタン一体型のインターホン装置の処理の流れの要部を表わしたものである。図４を準用して説明を行う。ＣＰＵ１２１は、呼鈴ボタンが押下されたことを検知する図示しない入力回路を介して呼鈴ボタンの押下を監視している（ステップＳ２７１）。そして、呼鈴ボタンの押下が検知された場合には（Ｙ）、図６に示したステップＳ２０４以降の処理を行うことになる。これ以外の処理の内容は図６と同一なので、その説明を省略する。
【００４３】
以上説明した以外に本発明は各種の変形が可能である。たとえば、インターホン装置１００が屋外の明るい場所に設置されるものであれば、その前面等に太陽電池を取り付けることで充電用バッテリを省略することができる。また、充電用バッテリの充電が必要になったときは、その旨の電子メールを作成してユーザに通知することも可能である。
【００４４】
更に実施例では２次元ＣＣＤ１３４が静止画を撮影したが、動画を撮影してこれを電子メールに添付するか、リアルタイムで送信するようにしてもよい。更に赤外線を検知するセンサを取り付けて、人が近づいたとき自動的にその者の画像を撮影して電子メールで送信することも可能である。２次元ＣＣＤ１３４以外の撮像手段、たとえばＣＭＯＳ（Complementary Metal Oxide Semiconductor）カメラを本発明に使用してもよいことはもちろんである。
【００４５】
また、実施例ではインターホン装置１００をフック取付部材１０２で固定したが、取付用金具を玄関の周囲等にネジや接着剤等で固定して、これに本体ケース１０１を着脱自在に装着してもよい。もちろん、太陽電池を備えたり、工事によって商用電源等の電源が常時供給できるようになっていれば、本体ケース１０１をネジや接着剤等で玄関の周囲等に直接固着してもよい。
【００４６】
更に本発明のインターホン装置１００は、取り外し自在なので、これを屋内の子供部屋あるいは病人のいる部屋に設置して、屋内の様子を外出先の携帯電話端末によって確認あるいは監視し、子供等と必要に応じて対話することも可能である。
【図面の簡単な説明】
【００４７】
【図１】本発明の一実施例におけるインターホン装置の正面図である。
【図２】本実施例のインターホン装置の側面図である。
【図３】本実施例のインターホン装置の背面図である。
【図４】本実施例のインターホン装置の回路構成を示すブロック図である。
【図５】本実施例のインターホン装置と呼鈴ボタンの配置関係を示した説明図である。
【図６】来訪者が呼鈴ボタンを押した場合のインターホン装置の処理の流れ図である。
【図７】図６のステップＳ２０３で示した盗難等に対応する処理の流れ図である。
【図８】発明の第１の変形例におけるインターホン装置による侵入検知処理を表わした流れ図である。
【図９】本発明の第２の変形例における呼鈴ボタン一体型のインターホン装置の処理の要部を示す流れ図である。
【符号の説明】
【００４８】
１００  インターホン装置
１０１  本体ケース
１０３  呼鈴検知センサ
１０４  通信モジュール
１０６  撮影レンズ
１０７  照明装置
１０８  マイクロフォン
１０９  スピーカ
１２１  ＣＰＵ
１２３  ＲＯＭ
１２５  不揮発性メモリ
１３２  携帯電話端末
１３４  ２次元ＣＣＤ
１３７  外光センサ
１３８  加速度センサ
１５１  家屋
１５２  玄関ドア
１５３  呼鈴ボタン
１５４  スピーカ部
【図１】
2006184985.tif 000003
【図２】
2006184985.tif 000004
【図３】
2006184985.tif 000005
【図４】
2006184985.tif 000006
【図５】
2006184985.tif 000007
【図６】
2006184985.tif 000008
【図７】
2006184985.tif 000009
【図８】
2006184985.tif 000010
【図９】
2006184985.tif 000011